(57)【要約】      （修正有）【課題】簡単に絵を描くことができ、対象面を汚さないお絵描き用具及びお絵描き玩具を提供する。【解決手段】水等の液体を収容する容器２の口部２ａに装着して使用されるお絵描き用具であって、ケーシングの一端に容器２の口部に装着する装着部１６ａを有し、ケーシングの他端に液体吐出用の孔１１ｂを有し、ケーシングの内部に、水の流路を開閉する弁体１４を配設し、ケーシングの他端に、弁体１４を開閉させる棒体１１ｅを突出させ、液体を収容した容器２の口部２ａに装着部１６ａを装着し、容器２を倒した状態で、棒体１１ｅを対象面に突き当て、その反力によって棒体１１ｅを介して弁体１４を動作させて、容器２内の液体を液体吐出用の孔１１ｂを介して吐出させるように構成されている。【選択図】図４
0003180604.tif 000002
【実用新案登録請求の範囲】
【請求項１】
液体を収容する容器の口部に装着して使用されるお絵描き用具であって、液体流路を形成するケーシングの一端に前記容器の口部に装着する装着部を有し、前記ケーシングの他端に液体吐出用の孔を有し、前記ケーシングの内部に、液体流路を開閉する弁体を配設し、前記ケーシングの他端に、前記弁体を開閉させる棒体を突出させ、液体を収容した前記容器の口部に前記装着部を装着し、前記容器を倒した状態で、前記棒体を対象面に突き当て、その反力によって前記棒体を介して前記弁体を動作させて、前記容器内の液体を前記液体吐出用の孔を介して吐出させるように構成されていることを特徴とするお絵描き用具。
【請求項２】
前記ケーシングは、
前記液体吐出用の孔が形成され、且つ、前記棒体が設けられたケーシング主体と、
前記ケーシング主体内の一方の室を画成し、前記ケーシング主体内の他方の室との境界部分に、スプリングの付勢力によって前記弁体が着座する弁座が形成された室画成部材と、
前記容器の口部に装着する筒状の前記装着部を有する蓋体と、
前記ケーシング主体、前記室画成部材及び前記蓋体を連結する環状体と、
を備え、
前記室画成部材の一端に形成されたフランジの一の面に前記蓋体を重ねるとともに、前記室画成部材の他端側から前記ケーシング主体を外嵌させ、さらに、前記ケーシング主体に前記環状体を外嵌させ、前記環状体を前記室画成部材の前記フランジの他の面に重ね合わせ、前記室画成部材と前記環状体とによって前記ケーシング主体を前記棒体の軸方向に移動可能に組み付けたことを特徴とする請求項１に記載のお絵描き用具。
【請求項３】
前記ケーシング主体には、前記ケーシング主体内の前記他方の室を構成する部分で前記液体吐出用の孔から離間した部分に通気孔が形成されていることを特徴とする請求項２に記載のお絵描き用具。
【請求項４】
金属製心材を前記棒体の先端に露出するように、軸心に設けたことを特徴とする請求項１から請求項３のいずれか一項に記載のお絵描き用具。
【請求項５】
前記装着部に、前記容器の口部の雄ねじに螺合する雌ねじを形成したことを特徴とする請求項１から請求項４のいずれか一項に記載のお絵描き用具。
【請求項６】
前記容器はペットボトルであることを特徴とする請求項１から請求項５のいずれか一項に記載のお絵描き用具。
【請求項７】
請求項１から請求項５のいずれか一項に記載のお絵描き用具と、前記お絵かき用具を装着する前記容器とを備えることを特徴とするお絵描き玩具。
【考案の詳細な説明】
【技術分野】
【０００１】
本考案は、お絵描き用具及びお絵描き玩具に関するもので、詳しくは、ペットボトル等の容器に収容した水等の液体を適量吐出させ、その液体で地面等に文字、図形又は記号（それらを総称して「絵」と言う）を描くようにしたお絵描き用具及びお絵描き玩具に関するものである。
【背景技術】
【０００２】
従来、チョーク、蝋石等を使用してコンクリート等の地面に絵を描くことが行われている。また、水で濡らした箒を使用してコンクリート等の地面に絵を描くことが行われている。
【考案の概要】
【考案が解決しようとする課題】
【０００３】
しかしながら、チョークや蝋石等を使用した場合には、絵が長時間に亘って消えないため、地面等の対象面を汚してしまうという問題がある。
また、箒を使用する場合には、頻繁に水で箒を濡らす必要があり、面倒であった。
本考案は、このような問題点に鑑みなされたもので、簡単に絵を描くことができ、対象面を汚さないお絵描き用具及びお絵描き玩具を提供することを目的とする。
【課題を解決するための手段】
【０００４】
第１の手段は、液体を収容する容器の口部に装着して使用されるお絵描き用具であって、液体流路を形成するケーシングの一端に前記容器の口部に装着する装着部を有し、前記ケーシングの他端に液体吐出用の孔を有し、前記ケーシングの内部に、液体流路を開閉する弁体を配設し、前記ケーシングの他端に、前記弁体を開閉させる棒体を突出させ、液体を収容した前記容器の口部に前記装着部を装着し、前記容器を倒した状態で、前記棒体を対象面に突き当て、その反力によって前記棒体を介して前記弁体を動作させて、前記容器内の液体を前記液体吐出用の孔を介して吐出させるように構成されていることを特徴とするお絵描き用具である。
【０００５】
第２の手段は、第１の手段において、
前記ケーシングは、
前記液体吐出用の孔が形成され、且つ、前記棒体が設けられたケーシング主体と、
前記ケーシング主体内の一方の室を画成し、前記ケーシング主体内の他方の室との境界部分に、スプリングの付勢力によって前記弁体が着座する弁座が形成された室画成部材と、
前記容器の口部に装着する筒状の前記装着部を有する蓋体と、
前記ケーシング主体、前記室画成部材及び前記蓋体を連結する環状体と、
を備え、
前記室画成部材の一端に形成されたフランジの一の面に前記蓋体を重ねるとともに、前記室画成部材の他端側から前記ケーシング主体を外嵌させ、さらに、前記ケーシング主体に前記環状体を外嵌させ、前記環状体を前記室画成部材の前記フランジの他の面に重ね合わせ、前記室画成部材と前記環状体とによって前記ケーシング主体を前記棒体の軸方向に移動可能に組み付けたことを特徴とする。
【０００６】
第３の手段は、第２の手段において、前記ケーシング主体には、前記ケーシング主体内の前記他方の室を構成する部分で前記液体吐出用の孔から離間した部分に通気孔が形成されていることを特徴とする。
【０００７】
第４の手段は、第１の手段から第３の手段のいずれか一の手段において、金属製心材を前記棒体の先端に露出するように、軸心に設けたことを特徴とする。
【０００８】
第５の手段は、第１の手段から第４の手段のいずれか一の手段において、前記装着部に、前記容器の口部の雄ねじに螺合する雌ねじを形成したことを特徴とする。
【０００９】
第６の手段は、第１の手段から第５の手段のいずれか一の手段において、前記容器はペットボトルであることを特徴とする。
【００１０】
第７の手段のお絵描き玩具は、第１の手段から第６の手段のいずれか一の手段のお絵描き用具と、前記お絵かき用具を装着する前記容器とを備えることを特徴とするお絵描き玩具である。
【考案の効果】
【００１１】
第１の手段によれば、お絵描き用具の装着部を液体を収容した容器に装着し、棒体を対象面に突き当て、棒体を動作させることによって、対象面にお絵描きができるので、簡単に絵を描くことができ、地面を汚さないお絵描き用具が実現できる。
【００１２】
第２の手段によれば、お絵描き用具の装着部を液体を収容した容器に装着すると、棒体を対象面に突き当てる毎に、弁体が弁座から離間し、液体が一方の室から他方の室に流れ、適量の液体が液体吐出用の孔から吐出することになる。
【００１３】
第３の手段によれば、通気孔が形成されているので、液体が液体吐出用の孔から吐出し易くなると共に、土や砂などがケーシング主体の他方の室に入った場合にも、その土や砂を排出し易くなる。
【００１４】
第４の手段によれば、対象面との当接部が金属なので、棒体の磨耗が少なく、耐久性を高めることができる。
【００１５】
第５の手段によれば、ねじ式の装着構造となっているため、簡単にお絵かき用具を容器に取り付けることができる。
【００１６】
第６の手段によれば、ペットボトルを使用するので、安価なお絵描き玩具が簡単に得られることになる。
【００１７】
第７の手段によれば、液体を使用することによって、対象面を汚すことなく、対象面に絵を描くことができる。
【図面の簡単な説明】
【００１８】
【図１】本考案に係るお絵描き玩具の使用方法を示した図である。
【図２】本考案に係るお絵描き用具を分解して示した断面斜視図である。
【図３】本考案に係るお絵描き玩具の非作動状態を示した断面図である。
【図４】本考案に係るお絵描き玩具の作動状態を示した断面図である。
【考案を実施するための形態】
【００１９】
以下、本考案に係るお絵描き用具及びお絵描き玩具を図面に示した実施の形態に基づいて説明する。
【００２０】
本考案のお絵描き玩具Ａは、図１に示すように、容器２に収容されている水を吐出させて、コンクリート等の地面（対象面）に絵を描くもので、水１を収容する容器２と、その容器２の口部２ａに装着するお絵かき用具３とを備えている。この場合の容器２としては例えばペットボトルが使用される。なお、水に代えて、お湯その他の液体を使用してもよい。
【００２１】
お絵描き用具３のケーシング１０は、図２に示すように、ケーシング主体１１と、中心部に弁座１２が形成され、ケーシング主体１１内の上部室１１０を画成する室画成部材１３と、容器２の口部２ａに嵌着させる筒状の装着部１６ａを有する蓋体１６と、ケーシング主体１１、室画成部材１３及び蓋体１６とを連結する環状体１７とを備えている。そして、室画成部材１３には、弁座１２に当接される弁体１４と、弁体１４を弁座１２に付勢するスプリング１５とが配設されている。
【００２２】
ここで、ケーシング主体１１は円筒状を成し、下端部に湾曲の底部１１ａを有している。そして、この底部１１ａの中心には、棒体１１ｅが貫設されている。この棒体１１ｅの中心には、心材としてアルミニウム等の金属製心材１１ｇが一体に埋め込まれている。この心材１１ｇは円柱状で、先端が半球状に形成されている。
また、ケーシング主体１１には、底部１１ａの棒体１１ｅの周りに、ステー１１ｆによって区画された水吐出用の弧状孔１１ｂが複数形成されている。さらに、ケーシング主体１１の胴部１１ｃには、弧状孔１１ｂから離間した部位に通気孔１１ｄが形成されている。さらに、ケーシング主体１１の上端外周面には、外向フランジ１１ｈが形成されている。
【００２３】
室画成部材１３には上端外周面に外向フランジ１３ａが形成されている。該外向フランジ１３ａにはねじ挿通孔１３ｂが形成されている。この外向フランジ１３ａの外径は上記外向フランジ１１ｈの外径よりも大きい。
【００２４】
蓋体１６は円盤状を成し、筒状の装着部１６ａの内周面上部には、容器２の口部２ａの雄ねじ２ｂに螺合する雌ねじ１６ｂが形成されている。また、装着部１６ａの中心には、ステー１６ｃによって装着部１６ａに保持されたばね受１６ｄが下方に向けて突設されている。また、この蓋体１６の周縁には、上記ねじ挿通孔１３ｂに１対１で対応する位置に、ねじ挿通孔１６ｅが形成されている。この蓋体１６の外径は上記外向フランジ１３ａの外径と同じとなっている。
【００２５】
環状体１７の下端内周面には、内方に向けて張出す内向フランジ１７ａが形成されている。この環状体１７の周縁には、上記ねじ挿通孔１３ｂに１対１で対応する位置に、ねじ穴１７ｂが形成されている。この環状体１７の外径は上記外向フランジ１３ａの外径と同じとなっている。
【００２６】
また、弁体１４は、中心部にばね受け１４ａが立設されている。そして、このばね受け１４ａと上記ばね受け１６ｄとの間にはスプリング１５が設けられている。
【００２７】
このお絵描き用具３は、図３に示すように、室画成部材１３の弁座１２に弁体１４を着座させ、そのばね受け１４ａにコイルスプリング１５を嵌合させた後に、蓋体１６のばね受け１６ｄをスプリング１５に嵌挿させながら、室画成部材１３の外向フランジ１３ａの上面に蓋体１６を重ねるとともに、室画成部材１３の下部にケーシング主体１１を外嵌させ、さらに、ケーシング主体１１の下方から環状体１７を外嵌させ、環状体１７を室画成部材１３の外向フランジ１３ａの下面に重ね合わせ、蓋体１６のねじ挿通孔１６ｅ、室画成部材１３のねじ挿通孔１３ｂにねじ１８を挿通させ、そのねじ１８の下端を環状体１７のねじ穴１７ｂに螺合させることによって組み付けられる。
【００２８】
このようにして組み付けられたお絵描き用具３は、弁体１４が室画成部材１３の弁座１２に着座し、スプリング１５によって弁座１２の孔１２ａを閉成している。また、ケーシング主体１１の外向フランジ１１ｈは、室画成部材１３の外向フランジ１３ａと環状体１７の内向フランジ１７ａとの間に拘束され、ケーシング主体１１は室画成部材１３の周面に摺動する。
【００２９】
このお絵描き用具３は、水を収容した容器２の口部２ａに装着することにより、お絵描き玩具Ａとして構成される。このお絵描き玩具Ａは、図３に示す状態では、弁体１４が室画成部材１３の弁座１２の孔１２ａを閉塞しているため、容器２内の水は、弁体１４によってケーシング主体１１の下端への流出が阻止されている。
【００３０】
この状態で、図１に示すように、お絵描き玩具Ａを手で掴み容器２を倒し、棒体１１ｅの先端を地面Ｂに押し付けると、図４に示すように、棒体１１ｅが押し込まれ、弁体１４を押し上げて室画成部材１３の弁座１２から離間させる。すると、容器２内の水１は、下方に流れ落ち、ケーシング主体１１の下端に形成された弧状孔１１ｂから流出される。したがって、図１に示すように、地面Ｂに絵を描くことができる。その際、通気孔１１ｄは、ケーシング主体１１内に空気を導入して、環状孔１１ｂからの水１の流出を助ける。また、通気孔１１ｄは、土や砂などがケーシング主体１１に入った場合にも、水と一緒にその土や砂を排出する機能を持つ。
【００３１】
上記実施形態では、ケーシング１０をケーシング主体１１、室画成部材１３、蓋体１６、環状体１７によって構成している。これは、合成樹脂の型成形を容易にするためであり、それらを一体に形成することもできる。この場合、弁体１４を作動させる棒体１１ｅは、ケーシング１０とは別に形成し、該棒体１１ｅをケーシング１０に対して出退自在に配設する。
【００３２】
また、上記実施形態では、容器としてペットボトルを使用したが、特に、市販の飲料用又は液体調味料用のペットボトルを使用すれば、より安価なお絵かき玩具が実現できる。また、ペットボトル以外に瓶等の容器をも用いることができる。
【符号の説明】
【００３３】
１    水
２    容器
２ａ    口部
２ｂ    雄ねじ
３    お絵描き用具
１０    ケーシング
１１    ケーシング主体
１１ａ    上部室
１１ｂ    弧状孔
１１ｄ    通気孔
１１ｅ    棒体
１１ｇ    金属製心材
１１ｈ    外向フランジ
１２    弁座
１３    室画成部材
１３ａ    外向フランジ
１４    弁体
１５    スプリング
１６    蓋体
１６ａ    装着部
１６ｂ    雌ねじ
１７    環状体
Ａ    お絵描き玩具
Ｂ    地面
【図１】
0003180604.tif 000003
【図２】
0003180604.tif 000004
【図３】
0003180604.tif 000005
【図４】
0003180604.tif 000006